(57)【要約】【課題】不正に迅速に対応して、遊技者に適切な遊技の提供を図ること。【解決手段】縦横の長さ（開口径）は受信アンテナ３３１の外径形状とほぼ同じである収容部５０１は、基板ケース３１０における側面５１１に形成された所定深さの凹部である。開口部中央付近に２個（図中、上下）、係止用の爪部６０１、凹部の底の４隅にそれぞれ支柱部６０２が設けられており、接触面６０１ａと、接触面６０２ａとの間の距離ｄは、受信アンテナ３３１の厚さｄと略同一である。裏面５３０には、非接触ＩＣタグ３３２が貼付され、支柱部６０２によって、受信アンテナ３３１と、所定距離Ｄを保つ構成となっている。所定距離Ｄは、受信アンテナ３３１と非接触ＩＣタグ３３２との通信特性によって設定することができる。【選択図】図６
2008289729.tif 000002
【特許請求の範囲】
【請求項１】
遊技機を識別するための非接触ＩＣタグが取り付けられた遊技機において、
遊技機を制御する制御基板に対して側面および上面を覆う基板ケースと、
前記基板ケースに設置された非接触ＩＣタグと、
前記非接触ＩＣタグからの電波を受信する受信アンテナと、を備え、
前記基板ケースに、前記受信アンテナを収容する収容部を設けたことを特徴とする遊技機。
【請求項２】
前記基板ケースは、当該基板ケース内部を外部から目視可能な透明部材を用いて形成されており、前記収容部を前記側面に備えることを特徴とする請求項１に記載の遊技機。
【請求項３】
前記基板ケースは、当該基板ケース内部を外部から目視可能な透明部材を用いて形成されており、前記制御基板上の電子部品が搭載されていない領域の位置に前記収容部を前記上面に備えることを特徴とする請求項１に記載の遊技機。
【請求項４】
前記受信アンテナは、アンテナ基板と、
前記アンテナ基板の外縁に沿って所定径を有する環状に形成されたアンテナコイルと、からなり、
前記アンテナ基板は、当該アンテナ基板上において前記アンテナコイルが搭載されていない前記所定径の領域が開口されていることを特徴とする請求項３に記載の遊技機。
【請求項５】
前記収容部は、前記非接触ＩＣタグと、前記受信アンテナとが通信可能な所定範囲内に設けられたことを特徴とする請求項１〜４のいずれか一つに記載の遊技機。
【請求項６】
前記非接触ＩＣタグは、前記基板ケースまたは／および前記制御基板に設置されたことを特徴とする請求項１〜５のいずれか一つに記載の遊技機。
【請求項７】
前記収容部は、前記基板ケースに形成した凹部であり、当該凹部に前記受信アンテナを収容することを特徴とする請求項１〜６のいずれか一つに記載の遊技機。
【請求項８】
前記収容部は、前記凹部に収容された前記受信アンテナの上面を覆う蓋部を有することを特徴とする請求項７に記載の遊技機。
【請求項９】
前記収容部は、前記基板ケースに形成した挿入口を有する挿入部であり、当該挿入口を介して前記受信アンテナを差込固定することを特徴とする請求項１〜６のいずれか一つに記載の遊技機。
【請求項１０】
前記収容部の外径形状に対応する透明部材によって形成されたアンテナケースを備え、
前記受信アンテナは、前記アンテナケース内部に設けられ、
前記収容部は、前記アンテナケースを収容することを特徴とする請求項１〜９のいずれか一つに記載の遊技機。
【発明の詳細な説明】
【技術分野】
【０００１】
この発明は、遊技機を識別するための非接触ＩＣタグと、該非接触ＩＣタグからの電波を受信する受信アンテナとが取り付けられる遊技機に関する。
【背景技術】
【０００２】
従来より、パチンコ遊技機やスロット遊技機などの遊技機において、該遊技機を不正に改造して、遊技者が不当に遊技媒体を獲得する不正行為が後を絶たない。たとえば、遊技機の制御を司る主基板や該主基板に実装されているＲＯＭなどを不正なもの（いわゆる、裏ロムなど）に交換して、多くの遊技媒体を獲得する不正行為がおこなわれている。
【０００３】
これにより、パチンコホールなどの遊技場を営む店舗が被る被害が甚大なものとなっており、不正行為を防ぐために、各店舗において様々な不正対策がおこなわれている。たとえば、各店舗において、不正行為を監視するために、監視カメラを設置したり、従業員の数を増やしたりする対策が講じられている。
【０００４】
また、主基板や該主基板に実装されているＲＯＭに封印紙を貼付する技術が開示されている（たとえば、下記特許文献１参照。）。これによれば、主基板やＲＯＭを不正なものに交換する場合などに、正規の主基板やＲＯＭに貼付されていた封印紙を剥がして、不正なものに貼りかえると封印紙が破れてしまうので、不正行為を把握することができ、被害の拡大を抑えることができる。
【０００５】
【特許文献１】特開平１０−２１６３２４号公報
【発明の開示】
【発明が解決しようとする課題】
【０００６】
しかしながら、上述した特許文献１に記載の従来技術では、従業員が封印紙を目視チェックすることで不正行為を把握する構成であるため、裏ロムへの交換などの不正行為がなされてから従業員が封印紙を目視チェックするまでの間は、裏ロムによる不正な遊技がおこなわれてしまうこととなる。くわえて、裏ロムに精巧な偽造封印紙が貼付されてしまうと、不正行為がおこなわれたか否かを判断することは困難であるという問題があった。さらに、従業員が封印紙を目視チェックする場合、遊技機を開放して、該遊技機の内部に貼付されている封印紙を目視チェックする必要があるため、従業員の作業負担が増大してしまうという問題があった。
【０００７】
また、遊技機を開放せずに不正行為を把握するために、遊技機を識別するための非接触ＩＣタグを主基板やＲＯＭに貼付して、従業員が、非接触ＩＣタグからの識別情報を受信する受信アンテナを有する読取装置によって、遊技機の表側から非接触ＩＣタグの識別情報を読み取る方法が考えられる。
【０００８】
しかしながら、非接触ＩＣタグを用いる場合であっても、裏ロムへの交換などの不正行為がなされてから非接触ＩＣタグの識別情報を読み取るまでの間は、裏ロムによる不正な遊技がおこなわれてしまうこととなる。くわえて、従業員が遊技機ごとに非接触ＩＣタグの通信可能範囲内まで読取装置を近づけて識別情報を読み取る構成であるため、多数の遊技機に対する読取作業には、多大な時間や手間がかかってしまうという問題がある。
【０００９】
また、非接触ＩＣタグからの識別情報の読取作業の時間や手間を省くため、非接触ＩＣタグの通信可能範囲内となるように、主基板やＲＯＭを覆う基板ケースに受信アンテナを取り付けて、定期的に受信される識別情報を管理装置などで一括管理する方法も考えられる。
【００１０】
しかしながら、不正行為の検知時あるいは定期的に、従業員は、基板ケースの中の主基板やＲＯＭを目視チェックする必要があるため、基板ケースに受信アンテナを取り付ける場合、受信アンテナが主基板やＲＯＭの目視チェックの障害物となってしまう。特に、主基板やＲＯＭ上に受信アンテナの陰となる領域があると、該領域の不正の目視チェックが困難となってしまうという問題がある。
【００１１】
この発明は、上述した従来技術による問題点を解消するため、主基板やＲＯＭの目視チェックを妨げることなく、不正行為を容易かつ的確に把握するために非接触ＩＣタグと、受信アンテナとを取り付けることのできる遊技機を提供することを目的とする。
【課題を解決するための手段】
【００１２】
上述した課題を解決し、目的を達成するため、この発明にかかる遊技機は、遊技機を識別するための非接触ＩＣタグが取り付けられた遊技機において、遊技機を制御する制御基板に対して側面および上面を覆う基板ケースと、前記基板ケースに設置された非接触ＩＣタグと、前記非接触ＩＣタグからの電波を受信する受信アンテナと、を備え、前記基板ケースに、前記受信アンテナを収容する収容部を設けたことを特徴とする。
【００１３】
この発明によれば、基板ケースに設けられた収容部によって収容された受信アンテナと、非接触ＩＣタグとによって、遊技機を識別することで不正行為を把握することができる。
【００１４】
また、上記発明において、前記基板ケースは、当該基板ケース内部を外部から目視可能な透明部材を用いて形成されており、前記収容部を前記側面に備えることとしてもよい。
【００１５】
この発明によれば、透明部材を用いて形成された基板ケースの側面に受信アンテナの収容部を設けることで、基板ケース内部の制御基板に対して適切な目視が可能となる。
【００１６】
また、上記発明において、前記基板ケースは、当該基板ケース内部を外部から目視可能な透明部材を用いて形成されており、前記制御基板上の部品が搭載されていない領域の位置に前記収容部を前記上面に備えることとしてもよい。
【００１７】
この発明によれば、透明部材を用いて形成された基板ケースにおいて、制御基板上の部品が搭載されていない領域の位置に受信アンテナの収容部を設けることで、基板ケース内部の制御基板上の部品に対して適切な目視が可能となる。
【００１８】
また、上記発明において、前記受信アンテナは、アンテナ基板と、前記アンテナ基板の外縁に沿って所定径を有する環状に形成されたアンテナコイルと、からなり、前記アンテナ基板は、当該アンテナ基板上において前記アンテナコイルが搭載されていない前記所定径の領域が開口されていることとしてもよい。
【００１９】
この発明によれば、アンテナ基板上においてアンテナコイルが搭載されていない所定径の領域が開口されているため、開口された領域からも基板ケース内部の制御基板上の部品に対する目視が可能となる。
【００２０】
また、上記発明において、前記収容部は、前記非接触ＩＣタグと、前記受信アンテナとが通信可能な所定範囲内に設けられたこととしてもよい。
【００２１】
この発明によれば、非接触ＩＣタグと、受信アンテナとが通信することで、遊技機を識別することで不正行為を把握することができる。
【００２２】
また、上記発明において、前記非接触ＩＣタグは、前記基板ケースまたは／および前記制御基板に設置されたこととしてもよい。
【００２３】
この発明によれば、基板ケースまたは／および制御基板に設置された非接触ＩＣタグと、受信アンテナとによって、遊技機を識別することで不正行為を把握することができる。
【００２４】
また、上記発明において、前記収容部は、前記基板ケースに形成した凹部であり、当該凹部に前記受信アンテナを収容することとしてもよい。
【００２５】
この発明によれば、基板ケースに形成された凹部に収容される受信アンテナによって、非接触ＩＣタグと通信をおこなうことで不正行為を把握することができる。
【００２６】
また、上記発明において、前記収容部は、前記凹部に収容された前記受信アンテナの上面を覆う蓋部を有することとしてもよい。
【００２７】
この発明によれば、蓋部によって凹部を覆うことで、凹部に収容された受信アンテナの直接的な不正改造を防止することができる。
【００２８】
また、上記発明において、前記収容部は、前記基板ケースに形成した挿入口を有する挿入部であり、当該挿入口を介して前記受信アンテナを差込固定することとしてもよい。
【００２９】
この発明によれば、基板ケースに形成された挿入口を有する挿入部に差込固定される受信アンテナによって、非接触ＩＣタグと通信をおこなうことで不正行為を把握することができる。
【００３０】
また、上記発明において、前記収容部の外径形状に対応する透明部材によって形成されたアンテナケースを備え、前記受信アンテナは、前記アンテナケース内部に設けられ、前記収容部は、前記アンテナケースを収容することとしてもよい。
【００３１】
この発明によれば、アンテナケース内部に設けられた受信アンテナによって、非接触ＩＣタグと通信をおこなうことで不正行為を把握することができる。また、受信アンテナをアンテナケース内部に設けることで、受信アンテナの直接的な不正改造を防止することができる。
【発明の効果】
【００３２】
本発明にかかる遊技機によれば、迅速に遊技機の不正を検知して適切な目視を促すことで、遊技の提供者（たとえば、パチンコ事業者）は、不正に迅速に対応して、遊技者に適切な遊技の提供を図ることができるという効果を奏する。
【発明を実施するための最良の形態】
【００３３】
（実施の形態１）
以下に添付図面を参照して、本発明にかかる遊技機の好適な実施の形態１を詳細に説明する。
【００３４】
（遊技機の基本構成）
図１は、本発明の遊技機の遊技盤の一例を示す正面図である。遊技盤１０１の下部位置に配置された発射部（図２参照）の駆動によって発射された遊技球は、レール１０２ａ，１０２ｂ間を上昇して遊技盤１０１の上部位置に達した後、遊技領域１０３内を落下する。遊技領域１０３には、図示を省略する複数の釘が設けられ、遊技球を各種の方向に向けて落下させるとともに、落下途中の位置には、遊技球の落下方向を変化させる風車や、入賞口が配設されている。
【００３５】
遊技盤１０１の遊技領域１０３の中央部分には、表示部１０４が配置されている。表示部１０４としては、たとえば、液晶表示器（ＬＣＤ）が用いられる。表示部１０４の下方には、始動入賞させるための始動入賞口１０５が配設されている。表示部１０４の左右には、それぞれ入賞ゲート１０６が配設されている。入賞ゲート１０６は、遊技球の通過を検出し、始動入賞口１０５を一定時間だけ開放させる抽選をおこなうために設けられる。表示部１０４の側部や下方などには普通入賞口１０７が配設されている。普通入賞口１０７に遊技球が入賞すると、普通入賞時の賞球数（たとえば、１０個）の払い出しをおこなう。遊技領域１０３の最下部には、どの入賞口にも入賞しなかった遊技球を回収する回収口１０８が設けられている。
【００３６】
上述した表示部１０４は、特定の入賞口に遊技球が入賞したとき（始動入賞時）に、複数の図柄の表示の変動を開始させ、所定時間後に図柄が停止する。この停止時に特定図柄（たとえば、「７７７」）が揃ったとき、大当たり状態となる。大当たり状態のとき、下方に位置する大入賞口１０９が一定の期間開放を所定ラウンド（たとえば、１５ラウンド）繰り返し、入賞した遊技球に対応した賞球数を払い出す。
【００３７】
図２は、遊技機の制御部の内部構成を示すブロック図である。制御部２００は、複数の制御部により構成されている。図示の例では、主制御部２０１と、演出制御部２０２と、賞球制御部２０３とを有する。主制御部２０１は、遊技機の遊技にかかる基本動作を制御する。演出制御部２０２は、遊技中の演出動作を制御する。賞球制御部２０３は、払い出す賞球数を制御する。
【００３８】
主制御部２０１は、ＲＯＭ２１２に記憶されたプログラムに基づき、遊技内容の進行に伴う基本処理を実行するＣＰＵ２１１と、ＣＰＵ２１１の演算処理時におけるデータのワークエリアとして機能するＲＡＭ２１３などを備えて構成される。主制御部２０１は、たとえば、主基板によってその機能を実現する。
【００３９】
この主制御部２０１の入力側には、始動入賞口１０５に入賞した遊技球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した遊技球を検出する大入賞口検出部２２４とが接続されている。これらの検出部としては、近接スイッチなどを用いて構成できる。
【００４０】
この主制御部２０１の出力側には、大入賞口開閉部２３１が接続され、この大入賞口開閉部２３１の開閉を制御する。大入賞口開閉部２３１は、大当たり時に大入賞口１０９を一定期間開放する機能であり、ソレノイドなどを用いて構成される。この大当たりは、生成した乱数に基づき所定の確率で発生するようあらかじめプログラムされている。
【００４１】
演出制御部２０２は、遊技中における演出制御をおこなう。この演出制御部２０２は、演出処理を実行するＣＰＵ２４１と、プログラムや背景画像、図柄画像、キャラクタ画像など各種画像データを記憶するＲＯＭ２４２と、ＣＰＵ２４１の演算処理時におけるデータのワークエリアとして機能するＲＡＭ２４３と、表示部１０４に表示させる画像データを書き込むＶＲＡＭ２４４などを備えて構成される。
【００４２】
演出制御部２０２では、ＣＰＵ２４１がＲＯＭ２４２に記憶されたプログラムを読み込んで、背景画像表示処理、図柄画像表示／変動処理、キャラクタ画像表示処理など各種画像処理を実行し、必要な画像データをＲＯＭ２４２から読み出してＶＲＡＭ２４４に書き込む。背景画像、図柄画像、キャラクタ画像は、表示画面上において表示部１０４に重畳表示される。すなわち、図柄画像やキャラクタ画像は背景画像よりも手前に見えるように表示される。
【００４３】
この場合、同一位置に背景画像と図柄画像が重なる場合、Ｚバッファ法など周知の陰面消去法により各画像データのＺバッファのＺ値を参照することで、図柄画像を優先してＶＲＡＭ２４４に記憶させる。演出制御部２０２は、たとえば、演出基板によってその機能を実現する。
【００４４】
この演出制御部２０２は、主制御部２０１から遊技中である各種データを受け取り、この遊技中における演出制御をおこなう。演出制御部２０２の出力側には、上述した表示部（ＬＣＤ）１０４と、ランプ制御部２５１が接続されている。演出制御部２０２は、表示部（ＬＣＤ）１０４に対しては、遊技中における演出内容、たとえば、図柄の移動表示や、リーチ（３つの図柄のうち２つが揃った状態）、および大当たり時の各種表示情報を生成して出力する。演出制御部２０２は、ランプ制御部２５１に対しては、遊技盤１０１や台枠などに設けられている各種ランプ２６２に対する点灯制御などをおこなうデータを出力する。
【００４５】
賞球制御部２０３は、ＲＯＭ２８２に記憶されたプログラムに基づき、賞球制御をおこなう。この賞球制御部２０３は、賞球制御の処理を実行するＣＰＵ２８１と、ＣＰＵ２８１の演算処理時におけるデータのワークエリアとして機能するＲＡＭ２８３などを備えて構成される。賞球制御部２０３は、たとえば、賞球基板によってその機能を実現する。
【００４６】
賞球制御部２０３は、接続される払出部２９１に対して入賞時の賞球数を払い出す制御をおこなう。また、発射部２９２に対する遊技球の発射の操作を検出し、遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御をおこなう。発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００４７】
上記構成の主制御部２０１と、演出制御部２０２と、賞球制御部２０３は、それぞれ異なるプリント基板（主基板、演出基板、賞球基板）に設けられる。これに限らず、たとえば、賞球制御部２０３は、主制御部２０１と同一のプリント基板上に設けることもできる。
【００４８】
（遊技機の基本動作）
上記構成による遊技機の基本動作の一例を説明する。主制御部２０１のＣＰＵ２１１により遊技中の制御がおこなわれ、各入賞口に対する遊技球の入賞状況を賞球制御部２０３に出力し、賞球制御部２０３は、入賞状況に対応した賞球数の払い出しをおこなう。
【００４９】
また、始動入賞口１０５に遊技球が入賞するごとに、対応する制御信号を演出制御部２０２に出力し、演出制御部２０２は、表示部１０４の図柄を変動表示させ、停止させることを繰り返す。大当たりの発生が決定しているときには、対応する制御信号を演出制御部２０２に出力し、演出制御部２０２は、所定の図柄で揃えて停止させる。このとき同時に、大入賞口１０９を開放する制御をおこなう。演出制御部２０２は、大当たり発生期間中、および大当たり発生までの間のリーチ時や、リーチ予告時などには、表示部１０４に対して、図柄の変動表示にくわえて各種の演出表示をおこなう。このほか、演出制御部２０２は、遊技中における演出内容や遊技状態に応じて、各種役物に対して特定の駆動をおこなったり、ランプ２６２の表示状態を変更するなどの演出をおこなう。
【００５０】
そして、大当たり発生時には、大入賞口１０９が複数回開放される。１回の開放が１ラウンドとして、たとえば、１５回のラウンドが繰り返し実行される。１ラウンドの期間は、たとえば、遊技球が１０個入賞したとき、あるいは所定期間（たとえば、３０秒）とされている。この際、賞球制御部２０３は、大入賞口１０９に対する遊技球１個の入賞あたり１５個の賞球数で払い出しをおこなう。大当たり終了後は、この大当たり状態が解除され、通常の遊技状態に復帰する。
【００５１】
（遊技機の背面構成）
ここで、図３を用いて、本発明の遊技機の背面について説明する。図３は、本発明の遊技機の背面図である。図３は、図１に示した遊技盤１０１を裏面から見た状態であり。図示の例では、遊技機３００は、機枠３０１に嵌め込まれており、サンド装置３０２と接続されている。
【００５２】
サンド装置３０２は、遊技機３００での遊技に使用する遊技球や遊技メダルなどの遊技媒体を貸し出すコンピュータ装置である。すなわち、サンド装置３０２は、たとえば、遊技者から投入されたカードなどに記憶されている入金情報に応じて、遊技媒体の貸し出しに関する信号を遊技機３００に送信する機能を有する。また、サンド装置３０２は、検知部３３４を備え、後述する受信アンテナ３３１によって受信される電波の状態に応じて、基板ケース３１０や各種制御基板への不正行為を検知する。
【００５３】
また、遊技機３００は、図２に示した主制御部２０１、演出制御部２０２、賞球制御部２０３などを実現する各種制御基板を覆う基板ケース３１０（３１０ａ，３１０ｂ，３１０ｃ）と、該基板ケース３１０ｃを覆う裏カバー３２０と、を有している。
【００５４】
基板ケース３１０は、外部から主基板、演出基板、賞球基板などの各種制御基板の不正改造や、不正基板への交換などの不正行為ができないように該各種制御基板の上面および側面を覆う構成である。さらに、基板ケース３１０は、透明ケースによって形成されており、各種制御基板の不正改造や、不正基板への交換などの不正行為に対して目視確認ができる。より具体的には、たとえば、主基板は基板ケース３１０ａ、賞球基板は基板ケース３１０ｂ、演出基板は基板ケース３１０ｃにそれぞれ覆われている。
【００５５】
また、裏カバー３２０は、透明ケースによって構成されており、基板ケース３１０ｃの外側に配設されている接続ケーブルを保護する。具体的には、裏カバー３２０によって、各種制御基板やその他遊技機の部品に接続される接続ケーブルが保護されている。
【００５６】
また、詳細は図４〜図１１を用いて説明するが、本発明の遊技機３００は、基板ケース３１０や各種制御基板には、非接触ＩＣ（Ｉｎｔｅｇｒａｔｅｄ  Ｃｉｒｃｕｉｔ）タグ３３２と、該非接触ＩＣタグ３３２からの電波を受信する受信アンテナ３３１が設置されている。受信アンテナ３３１は、ケーブル３３３によって検知部３３４と接続され、受信された電波に関する情報を検知部３３４へ出力する。
【００５７】
具体的には、受信アンテナ３３１は、非接触ＩＣタグ３３２から送信される遊技機３００を識別する識別情報を含む電波を受信して、受信された識別情報をケーブル３３３を介して検知部３３４へ出力することとしてもよい。検知部３３４は、たとえば、識別情報が入力されない場合、基板ケース３１０や各種制御基板への不正行為があったことを検知する構成でもよい。また、図３の説明では、受信アンテナ３３１は、ケーブル３３３によってサンド装置３０２に接続されることとしたが、その他外部機器に接続される構成でもよく、その場合、該外部機器によって不正行為を検知することとなる。
【００５８】
（受信アンテナおよび非接触ＩＣタグの概要）
つぎに、図４を用いて、本発明の受信アンテナ３３１および非接触ＩＣタグ３３２の概要について説明する。図４は、本発明の受信アンテナおよび非接触ＩＣタグの概要を示す説明図である。
【００５９】
図４において、図３に示した受信アンテナ３３１は、アンテナ基板４０１と、アンテナコイル４０２と、ケーブル３３３と、から構成されている。また、非接触ＩＣタグ３３２は、タグ基板４１１と、コイル４１２と、ＩＣチップ４１３と、から構成されている。
【００６０】
受信アンテナ３３１は、アンテナ基板４０１上に形成されたアンテナコイル４０２によって、所定範囲内に設置される非接触ＩＣタグ３３２と通信をおこなう。具体的には、受信アンテナ３３１は、図３に示した基板ケース３１０の表面に設置され、該基板ケース３１０内部に設置された非接触ＩＣタグ３３２と通信をおこなう。ここで、所定範囲は、受信アンテナ３３１と非接触ＩＣタグ３３２との通信特性によって決められ、たとえば、２．０ｃｍ以内の範囲に設定される。
【００６１】
アンテナコイル４０２は、アンテナ基板４０１の外縁に沿って、所定径を有する略四角状の環状に形成されており、ケーブル３３３と接続されている。また、アンテナコイル４０２は、アンテナ基板４０１の形状にもよるが、これ以外、楕円状や円状としてもよい。ケーブル３３３は、図３に示した検知部３３４に接続されている。具体的には、検知部３３４は、図示しないリードライト基板を備えており、ケーブル３３３によって該リードライト基板と、受信アンテナ３３１とが接続される構成としてもよい。
【００６２】
なお、図４では図示しないが、アンテナ基板４０１は、透明部材によって形成されたり、アンテナコイル４０２の内側における所定径の領域が開口された構成でもよい。このようにすることで、たとえば、図３に示した基板ケース３１０に受信アンテナ３３１を設置した場合でも、基板ケース３１０内部に設置された各種制御基板を、該基板ケース３１０の外側から目視することができる。
【００６３】
非接触ＩＣタグ３３２は、タグ基板４１１上に設置されたＩＣチップ４１３の制御にしたがって、コイル４１２を介して、所定範囲内に設置される受信アンテナ３３１と通信をおこなう。具体的には、非接触ＩＣタグ３３２は、図３に示した基板ケース３１０に設置され、該基板ケース３１０表面に設置された受信アンテナ３３１と通信をおこなう構成でもよい。また、非接触ＩＣタグ３３２は、基板ケース３１０の代わりに各種制御基板に設置されたり、基板ケース３１０および各種制御基板に設置される構成としてもよい。
【００６４】
具体的には、非接触ＩＣタグ３３２は、ＩＣチップ４１３の制御にしたがって、遊技機３００の識別情報を受信アンテナ３３１に送信する。すなわち、所定範囲内に受信アンテナ３３１がある場合、該受信アンテナ３３１によって非接触ＩＣタグ３３２からの識別情報が受信されることとなり、所定範囲内に受信アンテナ３３１がない場合、識別情報が受信されない構成である。したがって、各種制御基板の不正改造や不正基板への交換などの不正行為の際、受信アンテナ３３１と、非接触ＩＣタグ３３２との間の距離が所定範囲外となると、識別情報が受信できなくなり、図３に示した検知部３３４によって不正行為を検知することができる。換言すれば、非接触ＩＣタグ３３２からの電波が受信できずに遊技機３００が識別できなくなることで、不正行為を検知することができる。
【００６５】
なお、図４では説明を省略したが、タグ基板４１１は透明部材（たとえば、シール）であってもよく、図３に示した基板ケース３１０（３１０ａ，３１０ｂ，３１０ｃ）にタグ基板４１１を貼付した場合であっても、基板ケース３１０内部に設置された各種制御基板を、該基板ケース３１０の外側から目視することができる。また、上述した実施の形態では、非接触ＩＣタグ３３２を基板ケース３１０の内部に設ける構成例で説明したが、これに限らず、非接触ＩＣタグ３３２を基板ケース３１０の外部に設ける構成にもできる。たとえば、基板ケース３１０を制御基板に封止した後の出荷時等にシール等で外側に貼付する構成にもできる。
【００６６】
（受信アンテナ３３１の設置の概要）
つぎに、図５および図６を用いて、本発明の実施の形態１にかかる受信アンテナ３３１の設置の概要について説明する。図５は、本発明の実施の形態１にかかる受信アンテナを収容する収容部の配置の一例を示す説明図である。
【００６７】
図５において、制御基板５５０は、基板ケース３１０に覆われている。具体的には、基板ケース３１０は、図４に示した受信アンテナ３３１を収容する収容部５０１を備え、遊技機３００を制御する電子部品５５１を搭載した制御基板５５０の上面５１０および側面５１１を覆う構成である。
【００６８】
基板ケース３１０の上面５１０は、基板ケース３１０の内部に設置された制御基板５５０に対して略平行な面によって構成され、側面５１１は、制御基板５５０に対して略垂直な面によって構成されており、基板ケース３１０および制御基板５５０によって、いわゆる直方体を形成する。
【００６９】
ここで、基板ケース３１０において、制御基板５５０に向いている側の面を裏面５３０、制御基板５５０に向いていない側の面を表面５２０として説明する。すなわち、基板ケース３１０において、上面５１０および側面５１１の外側が表面５２０、該上面５１０および側面５１１の内側が裏面５３０である。
【００７０】
さらに、基板ケース３１０は、該基板ケース３１０の内部を外部から目視可能な透明部材によって形成されている。具体的には、基板ケース３１０は、基板ケース３１０の内部に設置された制御基板５５０に搭載された電子部品５５１や、該制御基板５５０そのものに不正行為がないか目視するため、透明部材によって形成される。
【００７１】
図５の構成において、収容部５０１は、基板ケース３１０の側面５１１に設けられ、遊技機３００を識別するため、図示しない非接触ＩＣタグ３３２からの電波を受信する受信アンテナ３３１を収容する。具体的には、収容部５０１は、基板ケース３１０に形成された凹部であり、該凹部に受信アンテナ３３１を収容する。このように、収容部５０１は側面５１１に設けられているため、基板ケース３１０の内部は、外部から適切に目視することができる。換言すれば、基板ケース３１０内部の目視を妨げることなく設けられた収容部５０１によって、受信アンテナ３３１を収容することができる。
【００７２】
図６は、本発明の実施の形態１にかかる収容部の一例を示す説明図である。図６において、収容部５０１は、基板ケース３１０における側面５１１に形成された所定深さの凹部であり、縦横の長さ（開口径）は受信アンテナ３３１の外径形状とほぼ同じである。
【００７３】
この収容部５０１には、表面５２０側の開口部中央付近に２個（図中、上下）、受信アンテナ３３１の係止用の爪部６０１が設けられている。さらに、収容部５０１には、凹部の底の４隅にそれぞれ支柱部６０２が設けられている。爪部６０１の接触面６０１ａと、支柱部６０２の接触面６０２ａとの間の距離ｄは、受信アンテナ３３１の厚さｄと略同一である。
【００７４】
このように、収容部５０１は、爪部６０１と、支柱部６０２とによって受信アンテナ３３１を挟み込むことで該受信アンテナ３３１を係止する。具体的には、収容部５０１は、基板ケース３１０の外側から、爪部６０１をガイドにして支柱部６０２まで受信アンテナ３３１を押下することで、該受信アンテナ３３１を係止することができる。
【００７５】
また、基板ケース３１０における収容部５０１の裏面５３０には、非接触ＩＣタグ３３２が貼付される構成であり、支柱部６０２によって、受信アンテナ３３１と、所定距離Ｄを保つ構成となっている。ここで、所定距離Ｄは、受信アンテナ３３１と非接触ＩＣタグ３３２との通信特性によって設定することができる。
【００７６】
なお、図６の説明では、受信アンテナ３３１と、非接触ＩＣタグ３３２とが平行となるようにしたが、受信アンテナ３３１が非接触ＩＣタグ３３２からの電波を受信できる配置であればよく、たとえば、非接触ＩＣタグ３３２を図示しない制御基板５５０に設置する構成でもよい。その際、収容部５０１は、基板ケース３１０の裏面５３０側に受信アンテナ３３１を収容するようにしてもよい。換言すれば、収容部５０１は、たとえば、基板ケース３１０の内部に設置された非接触ＩＣタグ３３２と、受信アンテナ３３１との距離を所定距離Ｄとする構成であればよい。
【００７７】
また、爪部６０１は、図６において収容部５０１の上下に位置（開口部中央付近に２個配置）しているが、左右に位置する構成や、上下左右の４箇所に位置する構成でもよく、支柱部６０２との間に受信アンテナ３３１を挟み込む構成であればよい。
【００７８】
支柱部６０２は、図６において収容部５０１における凹部の底の４隅に位置することとしているが、これに限ることはなく、非接触ＩＣタグ３３２と、受信アンテナ３３１との距離を所定距離Ｄに保つよう、爪部６０１との間に受信アンテナ３３１を挟み込む構成であればよい。
【００７９】
（収容部５０１の別の例）
図７は、本発明の実施の形態１にかかる収容部の別の一例を示す説明図である。図７において、収容部５０１は、基板ケース３１０における側面５１１に形成された所定深さの凹部であり、縦横の長さ（開口径）は受信アンテナ３３１の外径形状とほぼ同じである。
【００８０】
この収容部５０１には、凹部の底の略中央部にねじ台座部７０１が設けられている。さらに、収容部５０１には、凹部の底の４隅にそれぞれ支柱部７０４が設けられている。また、ねじ台座部７０１には、該ねじ台座部７０１中央を貫通するねじ穴部７０２が設けられている。また、ねじ台座部７０１および支柱部７０４は、略同一の高さである。
【００８１】
そして、収容部５０１は、受信アンテナ３３１を収容する。具体的には、収容部５０１は、ねじ穴部７０２に図示しないねじを通し、受信アンテナ３３１に設けられたねじ溝部７０３によって螺合させることで該受信アンテナ３３１を係止する。このように、ねじによって受信アンテナ３３１を係止する構成とすれば、図６に示した、爪部６０１と、支柱部６０２のように受信アンテナ３３１の厚さｄが一様でなくても、収容部５０１に受信アンテナ３３１を係止することができる。
【００８２】
また、基板ケース３１０における収容部５０１の裏面５３０には、非接触ＩＣタグ３３２が貼付されており、ねじ台座部７０１および支柱部７０４によって、受信アンテナ３３１と、所定距離Ｄを保つ構成となっている。
【００８３】
ねじ台座部７０１は、図７において収容部５０１における凹部の底の略中央部に位置することとしているが、非接触ＩＣタグ３３２と、受信アンテナ３３１との距離を所定距離Ｄに保つような構成であればよい。
【００８４】
支柱部７０４は、図７において収容部５０１における凹部の底の４隅に位置することとしているが、これに限ることはなく、非接触ＩＣタグ３３２と、受信アンテナ３３１との距離を所定距離Ｄに保つような構成であればよい。
【００８５】
図６および図７に示したように、収容部５０１によって、受信アンテナ３３１と、非接触ＩＣタグ３３２との間の距離を所定距離Ｄとして受信アンテナ３３１を収容する構成とすれば、受信アンテナ３３１によって、非接触ＩＣタグ３３２からの電波が受信できなくなった場合に、基板ケース３１０や制御基板５５０に対する不正を検知することができる。すなわち、不正をおこなうために、一時的あるいは継続的に受信アンテナ３３１が非接触ＩＣタグ３３２から離れた場合、図３に示した検知部３３４によって遊技機３００の不正を検知して、使用者（たとえば、パチンコホールの従業員）に目視確認を促すことができる。
【００８６】
具体的には、所定距離Ｄを受信アンテナ３３１と非接触ＩＣタグ３３２との間の通信が可能な距離と略同一の距離に設定する。このように所定距離Ｄを設定すれば、受信アンテナ３３１と非接触ＩＣタグ３３２との間の距離が少しでも大きくなると、電波を受信することができなくなり、図３に示した検知部３３４によって、迅速かつ的確に不正行為を検知することができる。
【００８７】
また、図６および図７では説明を省略したが、収容部５０１に係止された受信アンテナ３３１への直接的な改造を防ぐため、受信アンテナ３３１を収容した状態で収容部５０１を覆う蓋（不図示）を設けることとしてもよい。このように、蓋を設けることで、受信アンテナ３３１に対する不正を防止することができる。
【００８８】
以上説明したように、実施の形態１によれば、基板ケースや制御基板に対する不正を検知するため、遊技機を識別するための非接触ＩＣタグからの電波を受信する受信アンテナを、基板ケースの側面に設けられた凹部を利用して、容易に収容することができる。
【００８９】
また、あらかじめ受信アンテナを基板ケース内部に組み込まなくてもよいため、サンド装置など外部機器から導出されている受信アンテナを利用することができる。すなわち、遊技機の機種の入れ替えがあっても同じ受信アンテナを使用できるため、入れ替えごとに受信アンテナを用意しなくてもよく、設備コストの低減を図ることができる。
【００９０】
また、収容部を基板ケースの側面に設ける構成であり、基板ケースの内側を目視する場合であっても受信アンテナが妨げとなることがないため、使用者（たとえば、パチンコホールの従業員）は、適切な目視確認をおこなうことができる。
【００９１】
また、図６および図７の説明では、非接触ＩＣタグからの電波を受信する受信アンテナを収容する１つの収容部について説明したが、遊技機に複数の収容部を備える構成としてもよい。具体的には、図３に示した基板ケース３１０ａ，３１０ｂ，３１０ｃのそれぞれに収容部５０１を設ける構成とすれば、いずれかの制御基板（たとえば、主基板、演出基板、賞球基板など）に対する不正を的確に検知することができる。
【００９２】
（実施の形態２）
つぎに、本発明の実施の形態２について説明する。前述の実施の形態１では、収容部５０１について、基板ケース３１０の側面５１１に設けられた凹部によって形成されることとして説明したが、本発明の実施の形態２では、凹部と異なる形状によって収容部５０１を形成する場合について説明する。
【００９３】
なお、本発明の実施の形態２にかかる遊技機の基本構成については図１、遊技機の制御部の内部構成については図２、遊技機の背面については図３、受信アンテナおよび非接触ＩＣタグの概要については図４、収容部の配置については図５とそれぞれほぼ同様であるため説明を省略する。
【００９４】
（受信アンテナ３３１の設置の概要）
図８を用いて、本発明の実施の形態２にかかる受信アンテナ３３１の設置の概要について説明する。図８は、本発明の実施の形態２にかかる収容部の一例を示す説明図である。図８において、収容部５０１は、基板ケース３１０における側面５１１に形成された挿入口８００を有する、いわゆるポケット形状の挿入部である。また、挿入口の縦横の長さ（開口径）は、受信アンテナ３３１の厚さｄおよび非接触ＩＣタグ３３２の厚さｄ１の合計厚さと、受信アンテナ３３１の奥行きとほぼ同じである。具体的には、収容部５０１は、基板ケース３１０の側面５１１の表面５２０側に設けられ、少なくとも１面を受信アンテナ３３１の挿入口とする構成である。
【００９５】
また、収容部５０１は、挿入口を介して受信アンテナ３３１を差込固定することで該受信アンテナ３３１を係止する。受信アンテナ３３１の固定は、たとえば、図示しない接着用テープなどを用いておこなってもよい。そして、差込固定された受信アンテナ３３１によって、収容部５０１の裏面５３０に設置された非接触ＩＣタグ５１０からの電波が受信される構成である。このように、基板ケース３１０に対して、非接触ＩＣタグ３３２を受信アンテナ３３１よりも外側に設置することができるため、非接触ＩＣタグ３３２に偽造などがあった場合でも、偽造の確認が容易になる。
【００９６】
以上説明したように、実施の形態２によれば、基板ケースや制御基板に対する不正を検知するため、遊技機を識別するための非接触ＩＣタグからの電波を受信する受信アンテナを、基板ケースの側面に設けられた挿入部を利用することで、簡易な構成によって受信アンテナを収容することができる。また、挿入部を利用して非接触ＩＣタグを受信アンテナよりも外側に設置することができるため、非接触ＩＣタグへの偽造も容易に確認することができる。
【００９７】
（実施の形態３）
つぎに、本発明の実施の形態３について説明する。前述の実施の形態１および２では、収容部５０１によって受信アンテナ３３１を収容する構成として説明したが、本発明の実施の形態３では、受信アンテナ３３１をアンテナケースに挿入して、該アンテナケースを収容部５０１によって収容する場合について説明する。
【００９８】
なお、本発明の実施の形態３にかかる遊技機の基本構成については図１、遊技機の制御部の内部構成については図２、遊技機の背面については図３、受信アンテナおよび非接触ＩＣタグの概要については図４、収容部の配置については図５とそれぞれほぼ同様であるため説明を省略する。
【００９９】
（受信アンテナ３３１の設置の概要）
図９−１〜図９−４を用いて、本発明の実施の形態３にかかる受信アンテナ３３１の設置の概要について説明する。図９−１は、本発明の実施の形態３にかかるアンテナケースの外観の一例を示す説明図である。図９−２は、本発明の実施の形態３にかかるアンテナケースの形状を示す説明図である。
【０１００】
図９−１および図９−２において、アンテナケース９０１は、所定の奥行きを有し、外径形状（縦横の長さ）は、図５に示した収容部５０１の縦横の長さ（開口径）とほぼ同じである。このアンテナケース９０１は、電気的に絶縁性を有するプラスチックなどの透明部材によって形成されており、内側（以下、Ａで示される側を内側、Ｂで示される側を外側とする）に図４に示した受信アンテナ３３１が挿入された状態で、内側を収容部５０１へ向けて該収容部５０１に収容される。
【０１０１】
このアンテナケース９０１には、側面中央付近に切り込み部９１０によって形成された、外側向きの係止用爪部９１１および内側向きの固定用爪部９１２が設けられている。さらに、アンテナケース９０１には、上面の内側の４隅にそれぞれ支柱部９２０が設けられている。固定用爪部９１２と、支柱部９２０とからなる挿入スペース部９３０は、受信アンテナ３３１の厚さｄと略同一である。
【０１０２】
ここで、図９−３を用いて、本発明の実施の形態３にかかるアンテナケース９０１への受信アンテナ３３１の挿入について説明する。図９−３は、本発明の実施の形態３にかかる受信アンテナの挿入手順の一例を示す説明図である。図９−３において、アンテナケース９０１は、挿入スペース部９３０に受信アンテナ３３１が挿入される。すなわち、固定用爪部９１２と、支柱部９２０とによって、受信アンテナ３３１を挟み込むことによって、アンテナケース９０１へ受信アンテナ３３１が挿入される。
【０１０３】
図９−４は、本発明の実施の形態３にかかる収容部５０１へのアンテナケース９０１の係止について説明する。図９−４は、本発明の実施の形態３にかかるアンテナケースの係止の一例について示す説明図である。
【０１０４】
図９−４において、収容部５０１は、基板ケース３１０における側面５１１に形成された所定深さの凹部であり、縦横の長さ（開口径）はアンテナケース９０１の外径形状とほぼ同じである。この収容部５０１には、側面中央付近にアンテナケース９０１における係止用爪部９１１を嵌め込むための係止溝９４０が設けられている。
【０１０５】
また、基板ケース３１０における収容部５０１の裏面５３０には、非接触ＩＣタグ３３２が貼付されており、アンテナケース９０１に挿入された受信アンテナ３３１と、所定距離Ｄを保つ構成となっている。ここで、所定距離Ｄは、受信アンテナ３３１と非接触ＩＣタグ３３２との通信特性によって設定することができる。したがって、アンテナケース９０１を取り外すと、受信アンテナ３３１が挿入された、いわゆるユニットの状態で取り外すこととなり、所定距離Ｄが大きくなって電波が受信できなくなるため、不正を検知することができる。
【０１０６】
また、収容部５０１は、アンテナケース９０１と略同一の外径形状を有しており、アンテナケース９０１が嵌め込まれた状態では隙間が生じない。このように、アンテナケース９０１と、収容部５０１とに隙間が生じないようにアンテナケース９０１を収容することで、アンテナケース９０１に偽造の非接触ＩＣタグを貼り付けるような不正を防ぐことができる。
【０１０７】
このように、アンテナケース９０１は、基板ケース３１０の側面５１１に設けられた収容部５０１の表面５２０側から嵌め込まれることにより係止される。具体的には、アンテナケース９０１は、アンテナケース９０１の外側が基板ケース３１０の外側となるように収容部５０１の外径形状に沿って嵌め込まれ、収容部５０１に設けられた係止溝９４０に係止用爪部９１１が引っかかることで係止される。
【０１０８】
なお、図６の説明では、係止用爪部９１１は、図９−１〜図９−４においてアンテナケース９０１の側面中央部に２箇所位置することとして説明したが、これに限ることはなく、収容部５０１の側面と接触する面であれば、他の面に位置してもよいし、３個以上設ける構成でもよい。このように設けられた係止用爪部９１１によれば、係止用爪部９１１と、係止溝９４０によって段差が生じ、受信アンテナ３３１と、基板ケース３１０との間に不正なアンテナや非接触ＩＣタグの挿入を防止することができる。
【０１０９】
また、固定用爪部９１２は、図９−１〜図９−４において係止用爪部９１１と表裏一体としたが、これに限ることはなく、非接触ＩＣタグ３３２と、受信アンテナ３３１との距離を所定距離Ｄに保つよう、支柱部９２０との間に受信アンテナ３３１を挟み込む構成であればよい。
【０１１０】
また、支柱部９２０は、図９−１〜図９−４においてアンテナケース９０１における内側上面の４隅に位置することとしているが、これに限ることはなく、非接触ＩＣタグ３３２と、受信アンテナ３３１との距離を所定距離Ｄに保つよう、固定用爪部９１２との間に受信アンテナ３３１を挟み込む構成であればよい。
【０１１１】
（アンテナケースの別の例）
つぎに、図１０−１および図１０−２を用いて、本発明の実施の形態３にかかるアンテナケースの別の例について説明する。図１０−１は、本発明の実施の形態３にかかるアンテナケースの外観の別の例を示す説明図である。図１０−２は、本発明の実施の形態３にかかるアンテナケースへの受信アンテナの挿入手順の別の一例を示す説明図である。
【０１１２】
図１０−１において、アンテナケース１０００は、所定の奥行きを有し、外径形状（縦横の長さ）は、図５に示した収容部５０１の縦横の長さ（開口径）とほぼ同じである。このアンテナケース１０００は、下部ケース１００１と、上部ケース１００２と、からなる透明部材によって形成されており、内側に図４に示した受信アンテナ３３１が挿入された状態で、下部ケース１００１側を収容部５０１へ向けて該収容部５０１に収容される。
【０１１３】
図１０−２において、下部ケース１００１には、内側の側面中央付近にねじ台座部１０１１が設けられている。さらに、下部ケース１００１には、底の４隅にそれぞれ支柱部１０２０が設けられている。また、ねじ台座部１０１１には、該ねじ台座部１０１１を貫通するねじ穴１０１０が設けられている。上部ケース１００２には、内側の側面中央付近にねじ設置部１０１２が設けられている。このねじ設置部１０１２には、該ねじ設置部１０１２を貫通するねじ穴１０１０が設けられている。また、受信アンテナ３３１は、ねじ台座部１０１１と略同一の外径形状の凹部１０１３を有している。
【０１１４】
そして、下部ケース１００１と、上部ケース１００２とからなるアンテナケース１０００には、受信アンテナ３３１が挿入される。具体的には、ねじ穴部１０１０に図示しないねじを通し、下部ケース１００１と、上部ケース１００２とを螺合させることで、アンテナケース１０００内部に受信アンテナ３３１を係止する。
【０１１５】
そして、図示はしないが、アンテナケース１０００は、図５に示した収容部５０１に嵌め込まれることで、基板ケース３１０に係止されることとなる。具体的には、収容部５０１は、アンテナケース１０００と略同一の外径形状を有しており、上部ケース１００２側が、基板ケース３１０の外側となるように収容部５０１の外径形状に沿って嵌め込まれる。
【０１１６】
また、収容部５０１は、アンテナケース１０００を嵌め込む際に、ねじ穴部１０１０に応じた位置にねじ穴部を有している。すなわち、アンテナケース１０００のねじ穴部１０１０と、収容部５０１のねじ穴部とにねじを通して、アンテナケース１０００を係止する構成となる。
【０１１７】
以上説明したように、実施の形態３によれば、基板ケースや制御基板に対する不正を検知するため、遊技機を識別するための非接触ＩＣタグからの電波を受信する受信アンテナが挿入されたアンテナケースを、基板ケースの側面に設けられた凹部を利用して、容易に収容することができる。
【０１１８】
また、アンテナケースに受信アンテナを挿入しているため、受信アンテナへの直接的な改造を防ぐことができる。くわえて、サンド装置など外部機器から導出されている受信アンテナをアンテナケースに挿入して基板ケースに取り付ける構成であるため、遊技機側の基板ケースと、サンド装置など外部機器との間の電気的な絶縁を実現することができる。
【０１１９】
さらに、受信アンテナを挿入可能なアンテナケースであれば、形状を限定しなくてもよく、基板ケースの収容部におけるアンテナケースの収容の構成をフレキシブルに形成し、汎用性の向上を図ることができる。
【０１２０】
（実施の形態４）
つぎに、本発明の実施の形態４について説明する。前述の実施の形態１〜３では、収容部５０１について、基板ケース３１０の側面５１１に設けられる構成について説明したが、本発明の実施の形態４では、基板ケース３１０の上面５１０に収容部５０１を設ける場合について説明する。
【０１２１】
なお、本発明の実施の形態４にかかる遊技機の基本構成については図１、遊技機の制御部の内部構成については図２、遊技機の背面については図３、受信アンテナおよび非接触ＩＣタグの概要については図４とそれぞれほぼ同様であるため説明を省略する。
【０１２２】
（受信アンテナ３３１の設置の概要）
図１１を用いて、本発明の実施の形態４にかかる受信アンテナ３３１の設置の概要について説明する。図１１は、本発明の実施の形態４にかかる基板ケースの上面の収容部に設置された受信アンテナの一例を示す説明図である。
【０１２３】
図１１において、基板ケース３１０は、上面に収容部５０１を備え、収容部５０１によって受信アンテナ３３１が収容されている。受信アンテナ３３１は、環状に形成されたアンテナコイル４０２の所定径の領域が開口部１１０１として開口されている。すなわち、開口部１１０１から基板ケース３１０内部に設置された制御基板５５０上の電子部品５５１を目視可能とする構成でもよい。
【０１２４】
また、図示はしないが、受信アンテナ３３１は、透明部材によって形成されていてもよい。具体的には、図４に示したアンテナ基板４０１を透明部材によって形成することとしてもよく、このようにすれば、受信アンテナ３３１に開口部１１０１を設けることなく、電子部品５５１が目視可能となる。
【０１２５】
このように、基板ケース３１０の外側から基板ケース３１０内部に設置された制御基板５５０上の電子部品５５１を目視可能として、適切に基板ケース３１０の上面を活用して受信アンテナ３３１を収容することができる。なお、図１１では説明を省略したが、受信アンテナ３３１を収容する場合、前述の実施の形態３によるアンテナケース９０１，１０００を利用する構成でもよい。
【０１２６】
以上説明したように、実施の形態４によれば、基板ケースの上面を有効利用して、基板ケース内部の目視を妨げることなく、受信アンテナを収容することができる。
【０１２７】
以上説明したように、本発明によれば、基板ケースに収容された受信アンテナと、基板ケースに設置された非接触ＩＣタグによって、迅速に遊技機の不正を検知して、適切な目視を促すことができる。したがって、遊技の提供者（たとえば、パチンコ事業者）は、不正に迅速に対応して、遊技者に適切な遊技を提供することができる。非接触ＩＣタグを設ける位置は、基板ケースであれば内部であっても外部であってもよい。
【産業上の利用可能性】
【０１２８】
以上のように、本発明にかかる遊技機は、パチンコ遊技機、スロット遊技機、その他各種遊技機に有用であり、特に、パチンコホールやゲームセンター（プレイランド）での設置、使用に適している。
【図面の簡単な説明】
【０１２９】
【図１】本発明の遊技機の遊技盤の一例を示す正面図である。
【図２】遊技機の制御部の内部構成を示すブロック図である。
【図３】本発明の遊技機の背面図である。
【図４】本発明の受信アンテナおよび非接触ＩＣタグの概要を示す説明図である。
【図５】本発明の実施の形態１にかかる受信アンテナを収容する収容部の配置の一例を示す説明図である。
【図６】本発明の実施の形態１にかかる収容部の一例を示す説明図である。
【図７】本発明の実施の形態１にかかる収容部の別の一例を示す説明図である。
【図８】本発明の実施の形態２にかかる収容部の一例を示す説明図である。
【図９−１】本発明の実施の形態３にかかるアンテナケースの外観の一例を示す説明図である。
【図９−２】本発明の実施の形態３にかかるアンテナケースの形状を示す説明図である。
【図９−３】本発明の実施の形態３にかかる受信アンテナの挿入手順の一例を示す説明図である。
【図９−４】本発明の実施の形態３にかかるアンテナケースの係止の一例について示す説明図である。
【図１０−１】本発明の実施の形態３にかかるアンテナケースの外観の別の例を示す説明図である。
【図１０−２】本発明の実施の形態３にかかるアンテナケースへの受信アンテナの挿入手順の別の一例を示す説明図である。
【図１１】本発明の実施の形態４にかかる基板ケースの上面の収容部に設置された受信アンテナの一例を示す説明図である。
【符号の説明】
【０１３０】
３００  遊技機
３０２  サンド装置
３１０（３１０ａ，３１０ｂ，３１０ｃ）  基板ケース
３２０  裏カバー
３３１  受信アンテナ
３３２  非接触ＩＣタグ
３３３  ケーブル
３３４  検知部
５０１  収容部
５５０  制御基板
【図１】
2008289729.tif 000003
【図２】
2008289729.tif 000004
【図３】
2008289729.tif 000005
【図４】
2008289729.tif 000006
【図５】
2008289729.tif 000007
【図６】
2008289729.tif 000008
【図７】
2008289729.tif 000009
【図８】
2008289729.tif 000010
【図９−１】
2008289729.tif 000011
【図９−２】
2008289729.tif 000012
【図９−３】
2008289729.tif 000013
【図９−４】
2008289729.tif 000014
【図１０−１】
2008289729.tif 000015
【図１０−２】
2008289729.tif 000016
【図１１】
2008289729.tif 000017